(57)【要約】【課題】教育用カード反転具において、カードを投入した際に装置内でカードが留まってしまう確立を低減し、例えば児童がカードを投入しても、ほぼ確実にカードが反転して表示されるカード反転具を提供する。【解決手段】カード投入用スリットを通って落下したカードの下辺が当接する位置に設けたカード受け傾斜板を後方に傾斜させることにより、カードの下辺が後方に弾み、カードの上部が前方に傾きやすくした。カード投入用スリットの端部とカード反転具の側壁内面との距離を、カードが落下する距離のの５％以上とした。以上により、カードがカード反転具の内部で留まってしまう現象を回避できた。【選択図】図３
0003157867.tif 000002
【実用新案登録請求の範囲】
【請求項１】
箱状のカード反転装置であり、上面に設けたカード投入用スリット（２）と、該スリットの下のやや後方に設けた鉛直方向に対し下方がわずかに後方に傾斜した背面傾斜板（３）と、該背面傾斜板の下部に接して前方に、前記スリットを通って落下したカードの下辺が当接する位置に設けた後方に傾斜したカード受け傾斜板（４）と、該カード受け傾斜板の前端に接して前方に傾斜した表示部傾斜板（６）とを備えていることを特徴とする教育用カード反転具。
【請求項２】
請求項１に記載した構成に加え、前記カード受け傾斜板（４）と表示部傾斜板（６）の間に、前記２つの傾斜板にそれぞれ接して、前方に傾斜した反転部傾斜板（５）をさらに設けたことを特徴とする教育用カード反転具。
【請求項３】
前記背面傾斜板（３）の傾斜角度（α）が鉛直方向から３〜７°、カード受け傾斜板（４）の傾斜角度（β）が水平方向から１０〜２０°、表示部傾斜板（６）の傾斜角度（θ）が水平方向から６０〜８０°であることを特徴とする請求項１又は請求項２に記載した教育用カード反転具。
【請求項４】
請求項１又は請求項２又は請求項３に記載したカード反転具において、前記カード投入用スリット（２）の端部（２ａ）と前記カード反転具の側壁内面（１０）との距離（Ｌ）がそれぞれ、前記カード投入用スリット（２）下面と前記カード受け傾斜版（４）との平均距離（Ｈ）の５％以上であることを特徴とする教育用カード反転具。
【考案の詳細な説明】
【技術分野】
【０００１】
本考案は、表に問題などを表示したカードを上部から投入すると、箱内で反転して下方に移動し、カードの裏に表示した答などを表示する装置に関する。
【背景技術】
【０００２】
従来、上からカードを入れて内部で表裏反転させ、下に移動させて表示する教育用カード反転具が発明されている。
例えば、特許文献１の図６に基本となる構造が記載されている。
【０００３】
ところが、特許文献１の図６の構造では、カードを投入した直後に、装置内でカードの上部が後ろに倒れて、縦面２５に立て掛けた状態で止まってしまう現象がしばしば起こるという問題があった。
【先行技術文献】
【特許文献】
【０００４】
【特許文献１】特開２００６−１４９４３３号公報
【考案の概要】
【考案が解決しようとする課題】
【０００５】
本考案は、上記従来のカード反転具の問題点を解決するためになされたものであり、カードを投入した際に装置内でカードが留まってしまう確立を低減し、例えば児童がカードを投入しても、ほぼ確実にカードが反転して表示されるカード反転具を提供することである。
【課題を解決するための手段】
【０００６】
上面に設けたカード投入用スリットと、該スリットの下のやや後方に設けた、鉛直方向に対し下方がわずかに後方に傾斜した背面傾斜板と、該背面傾斜板の下部に接して前方に、前記スリットを通って落下したカードの下辺が当接する位置に設けた後方に傾斜したカード受け傾斜板と、該カード受け傾斜板の前端に接して設けた前方に傾斜した表示部傾斜板とを備えている教育用カード反転具である。
【０００７】
上記構成に加えて、前記カード受け傾斜板と表示部傾斜板の間に、前記２つの傾斜板にそれぞれ接して、前方に傾斜した反転部傾斜板をさらに設けた。
【０００８】
上記の背面傾斜板の傾斜角度を鉛直方向から３〜７°、カード受け傾斜板の傾斜角度を水平方向から１０〜２０°、表示部傾斜板の傾斜角度を水平方向から６０〜８０°とした。
【０００９】
前記カード投入用スリットの端部とカード反転具の側壁内面との距離がそれぞれ、カード投入用スリット下面とカード受け傾斜版との平均距離の５％以上とした。
【考案の効果】
【００１０】
落下したカードの下端がカード受け傾斜板に当たって後方に弾むので、カードの上部が前面に傾きやすくなり、確実に反転し落下させることができる。
また、スリットの端部と装置内部の側壁との距離を大きくしたので、カードが反転する過程で側面の壁に接触して回転が止まって引っかかってしまうことがなくなった。
これにより、先生だけでなく、児童がカードを投入してもほぼ確実にカードを反転して表示させることができるようになった。
【００１１】
カード受け傾斜板と表示部傾斜板を反転部傾斜板で繋ぐことにより、表示部傾斜板をより垂直に近い角度を保ちながら前方に設置でき、表示部傾斜板に沿って停止したカードの視認性を向上させることができる。
【００１２】
以上により、カードの反転に失敗したり、カードが内部で留まることがなくなったので、児童の興味を失わせること無く、テンポ良く学習を進めることができる。
【図面の簡単な説明】
【００１３】
【図１】本考案による教育用カード反転具の断面図（請求項１の構成）
【図２】本考案による教育用カード反転具の断面図（請求項２の構成）
【図３】本考案による教育用カード反転具の作動説明図
【図４】本考案による教育用カード反転具の平面図
【図５】本考案による教育用カード反転具の斜視図
【考案を実施するための形態】
【００１４】
図１は、本考案の請求項１による教育用カード反転具１の断面図である。
カード反転具１の本体は図５に示したように内部が見えない箱状であり、上面にカード投入用スリット２が設けてあり、スリットの下方の背面には、下が後方にわずかに傾斜した背面傾斜板３があり、背面傾斜板の下部に接して前方に、後方に傾斜したカード受け傾斜板４があり、該カード受け傾斜板の前端に接して前方に傾斜した表示部傾斜板６が設けてある。
【００１５】
図２は、本考案の請求項２による教育用カード反転具１の断面図である。
図１の構成に加えて、カード受け傾斜板４と表示部傾斜板６の間に、前記２つの傾斜板にそれぞれ接して、前方に傾斜した反転部傾斜板５をさらに設けたものである。
【００１６】
図１、２、３を用いてそれぞれの傾斜板の角度範囲と効果について説明する。
背面傾斜板３の傾斜角αは鉛直方向に対して３〜７°、好ましくは約５°である。背面傾斜板は、カードの上部２０ａを支えてカードを前に倒す機能があり、万が一カードが背面傾斜板に張り付いた場合でも自然に前に倒れるようにするためには最低３°の傾斜が必要である。
しかし角度が７°より大きくなると、カードが回転するときにカードの下端２０ｂが背面傾斜板に引っかかるので好ましくない。
尚、板を傾斜させる代わりに、鉛直に設けた板の上部にカードが引っかからない形状の凸部を設けて、カードの上部２０ａを前に倒すようにしても良い。
【００１７】
カード受け傾斜板４の傾斜角βは水平方向に対して１０〜２０°、好ましくは１２〜１５°である。この傾斜角βが大きいほうが、カードの下端２０ｂが後方に弾むので、相対的にカードの上部２０ａが前方に傾きやすくなる。カード下端が弾む方向はカード受け傾斜板に対して、入射角と反射角が等しくなる方向であり、カードが鉛直下方に落ちてきたとすると、鉛直方向から２×β°傾いた方向になる。
しかしβを必要以上に大きくすると、カード受け傾斜板４の水平方向の幅が小さくなってカードが素通りして反転せずに落下する危険性が大きくなる問題と、カードが反転する際に、カードの下端２０ｂが背面傾斜板３に引っかかりやすくなる問題が起こるので好ましくない。よって上記の角度が適切である。
【００１８】
反転部傾斜板５を設ける場合、その傾斜角φは水平方向に対して、３０〜４５°、好ましくは３５〜４０°である。反転部傾斜板５の役割は、カードの回転中心Ｐ１をより後方側に位置させつつ、表示部傾斜板６との接点Ｐ２をより前方に位置させて、カードの視認性を良くすることである。
Ｐ１を後方に位置させると、カードの重心と回転中心が離れ、カードの回転速度が速くなる効果がある。
傾斜角φが小さいほうがＰ１とＰ２の距離が大きくなって上記目的に合致するが、角度が小さくなりすぎるとカードが反転部傾斜板上を滑り落ちる際に、前方に飛んで、表示部傾斜板から落ちてしまったり、前面カバーに当たって止まってしまう不具合が起こる。
また、角度φが大きすぎると、接続部Ｐ２が外部から見えるようになるので好ましくない。
よって上記の角度が適切である。
【００１９】
表示部傾斜板６の傾斜角θは水平方向に対して、６０〜８０°、好ましくは６５〜７５°である。傾斜角θが小さいと前方からの視認性が悪くなり、角度が大きすぎると、カードが斜面を落下してくる勢いによってさらにもう一度反転して本装置の外に落下してしまう不具合が生じる。よって上記の角度が適切である。
【００２０】
図４において、カード投入用スリット２の端部２ａとカード反転具の側壁内面１０との距離Ｌが小さいと、投入したカードが反転する過程で、カードの側辺が側壁内面１０と接触してカードが止まってしまうことが起きる。
これを対策するために、カードが自由落下する距離、すなわちカード投入用スリットの下面からカード受け傾斜板までの鉛直方向距離Ｈの５％以上をＬの寸法とした。
例えば、Ｈが２００ｍｍのとき、Ｌを１０ｍｍ以上にすればカードの側辺が側壁内部１０に接触して止まってしまう不具合を減少させることができる。
【符号の説明】
【００２１】
１      本考案によるカード反転具
２      カード投入用スリット
２ａ    カード投入用スリットの端部
３      背面傾斜板
４      カード受け傾斜板
５      反転部傾斜板
６      表示部傾斜板
１０    側壁内面
１１    ストッパー
２０    カード（教材）
２０ａ  カードの投入時の上辺
２０ｂ  カードの投入時の下辺
α      背面傾斜板の角度（鉛直方向に対する傾斜角）
β      カード受け傾斜板の角度（水平方向に対する傾斜角）
φ      反転部傾斜板の角度（水平方向に対する傾斜角）
θ      表示部傾斜板の角度（水平方向に対する傾斜角）
Ａ      カードが落下する方向
Ｂ      落下したカードの下端がカード受け傾斜板に当って後方に跳ねる方向
Ｃ      カードが前方に倒れる方向
Ｄ      カードが支点Ｐ１周りに回転する方向
Ｅ      カードが表示部傾斜板に沿って落下する方向
Ｌ      カード投入用スリットの端部と内部側壁との距離
Ｈ      カード投入用スリットの下面とカード受け傾斜版との平均距離（鉛直方向距離）
Ｐ１    カード受け傾斜板と表示部傾斜板、又はカード受け傾斜板と反転部傾斜板の接点
Ｐ２    反転部傾斜板と表示部傾斜板の接点
【図１】
0003157867.tif 000003
【図２】
0003157867.tif 000004
【図３】
0003157867.tif 000005
【図４】
0003157867.tif 000006
【図５】
0003157867.tif 000007